(57)【特許請求の範囲】
【請求項１】
格子状となる蓋本体と、この蓋本体の開閉を行うシャッターと、前記シャッターの駆動装置と、時間を計測するタイマーと、前記タイマーの信号により、前記駆動装置を介してシャッターを操作し、浴槽内の暖まった空気を前記タイマーにより指定した時間に開放することにより、浴室内を温める風呂装置。
【発明の詳細な説明】
【技術分野】
【０００１】
この発明は、風呂装置に関する。
【背景技術】
【０００２】
従来の一般的な風呂蓋は主に浴槽内のお湯の温度を保つ事を目的としている。
しかしながら風呂蓋と浴槽内の間の暖まった空気は他に効果的に利用されていない。
【０００３】
浴槽内の湯の温度を利用して浴室の空気を暖房することは知られている。例えば特許公開２００６−０３４３１６では風呂蓋を浴槽の上縁部に載置し、浴槽の開口部を閉塞する蓋の一部が、浴槽に貯留した湯に接触可能な構成とし、湯の熱を蓋の上面に伝導し、蓋の上面より放熱可能とすることにより、浴槽に貯留した湯の余熱を浴室内に放熱し、浴室内の乾燥を促進することができる物である。
特許公開平０１−０４９５２１は、シャワー付き水栓において、給湯配管と給水配管との間に自動温度調節弁を設けたバイパス回路を形成するとともに調節弁を設けた物であり、開閉することによりお湯を散布するものである。
【特許文献１】特許公開２００６−０３４３１６
【特許文献２】特許公開平０１−０４９５２１
【発明の開示】
【発明が解決しようとする課題】
【０００４】
従来の一般的な風呂の蓋の構成では、浴槽内に蓄熱し保温機能として使用する熱は、他には有効に使用されていない熱であり、特に冬場、浴室内暖房として有効に利用するためには浴槽内熱エネルギーを事前に人為的に開放する必要があり、トータルとして熱、および人的エネルギーを無駄にしているという課題を有していた。特許公開２００６−０３４３１６は温水の温度を一度蓋に移しさらに浴室大気内に放出するという物であり、構造物である蓋がそうたやすく温度が上がる物ではなく非効率である。新規に浴室工事をするというのであれば浴室暖房設備を入れるのも一つの手ではあるが、既存の浴室に追加工事ではコスト、手間、時間共に膨大なものとなってしまう。
【０００５】
上記案では時間調整ができない上、非常に蓋が巨大な容積を要し、美的に悪く、蓋が湯の温度を吸い上げ、間接的に暖房するため蓋自体の温度が低い場合、炊き上げに余計なエネルギーを要し、湯自体の冷めも早くなる。
【０００６】
事前に高度かつ高コストの工事、配管工事が必要であり、設置が容易でないという欠点があった。本発明は浴槽の湯を利用して、一般家電製品として容易に希望する時間に浴室を暖房することを目的とし、要は一番風呂浴室ではなく、人が事前に蓋を開ける必要なく温まった二番風呂浴室を再現しようとするのが本発明の目的である。
【課題を解決するための手段】
【０００７】
本発明は蓋本体と、この蓋の開閉を行うシャッターと、前記シャッターの駆動装置と、時間を計測するタイマーと、前記タイマーの信号により、前記駆動装置を介してシャッターを操作し、浴室内を温める風呂装置で、風呂蓋本体１に電子タイマー３と動力開閉可能なシャッター２を設けることにより指定した時間に１５分〜２０分ほどシャッターを開け、その浴槽内の温まった空気を開放することにより人が事前に蓋を開けることなく、数度浴室内を暖めることができる。自動的に閉まるので蓋本来の保温、湿度漏れ防止の効果も持続、また蓋全体を開閉するわけではなく格子状となるので幼児転落による水の事故も防止し、「８時に浴室が温っているから入りに行こう」という計画入浴、高価な浴室暖房装置へのステップアップとしての営業効果も期待できる。また他の実施例として、蓋本体と、前記蓋本体に設けられた浴槽内の温水を浴室へ供給するポンプと、時間を計測するタイマーと、前記タイマーの信号により、ポンプを駆動することにより、浴室内を温める風呂装置で、風呂蓋本体1にタイマー３と動力排水可能なポンプ及びシャッター２を設け、使用に当たっては、まず脱衣所より浴室の扉等をたたくこと等で音を発し、その反響音で本風呂蓋のセンサーを反応させ、指定した時間にポンプを作動し、シャッターを開け、その浴槽内の温まった温水を床面および壁面に開放することにより人が事前に蓋を開け、温水をまく必要なく、数度程度  浴室内を暖めることができる。
【発明の効果】
【０００８】
上記したように従来の風呂蓋では実現できなかった、人が事前に蓋を開ける必要なく、シャッターの開閉時間を制御可能な上、温まった二番風呂浴室を再現し比較的低コストに一番風呂戸等による心筋梗塞、脳卒中等の入浴事故（ヒートショック）を未然に防ぐことができる。また本発明は別にヒーター等を使用して温度を高めることなく、浴室温度上昇を再現することができる。
また、浴槽内のお湯を排出することにより、浴室内を暖めることができる。
【０００９】
本発明の風呂装置は風呂蓋のシャッターをタイマーで開閉して浴槽の湯で浴室を暖房するので、浴槽のお湯の熱により直接浴室を希望する時間に暖め、また必要以上に浴槽の熱を放出することがない。
【発明を実施するための最良の形態】
【００１０】
本発明は、浴槽の蓋にシャッターを設けて開閉し、浴室を暖めるものであり、以下その実施例を示す。    
【実施例１】
【００１１】
この発明の一実施形態を、図１〜図１３、図２２〜図２７に基づいて説明する。
図１においてはこの発明の一実施形態の風呂装置の外観を示す斜視図である。
図２において風呂蓋本体１に開閉可能で蒸気を通すためのシャッター２、動きを制御するためのタイマー及び赤外線受送光部３、  蓋を開けなくても給水可能にするための給水口４  転倒防止のためのストッパー５、蓋の開閉を容易にするためのホワイトゴムローラー１２、取手１３を備えている。図9、図１０、図１１はシャッター２の動作を示すもので、上カバー３９と下カバー４０の間にシャッター２を設け、シャッターを動かすためのモーター（駆動装置）8、指等の進入防止のためのメッシュカバー９を備えている。モーター８が動くと軸8ａが回転し、ギア１０によって直線運動に変換されシャッター２が横に移動される。図11においてシャッター移動用レール６、モーターの力を伝えるためのギア１０、モーター移動用レール１１により構成されている。シャッター移動用レール６は図１３に示すように、下カバー４０のレール１４とかみ合って移動する。図１３は説明のため斜めに積層して記載したものである。
すなわち、図2においてシャッター２は蒸気流７をタイマー３により制御し排出するための物である。シャッター２が図１１のシャッター移動用レール６および図１４の下部カバー部シャッター移動用レール１４をかいし、スライドする事により開閉する。シャッター２と風呂蓋本体１（ポリプロピレン製等）の接触稼動部分はゴムパッキンによりシールドされる。指はさみ等の危険防止のため開閉部は金属またはプラスチック製等のメッシュカバー９で覆われ、その奥にシャッター２を配置する。メッシュカバー９なしでは作動しないように、普段はメッシュカバーにより押さえつけられておりメッシュカバーを外すと作動しなくなる、押し込み式スイッチを配置するものとする。本体とメッシュカバーとの固定部は着脱可能な構造、例えば、はめ込み式、ねじ込み式、磁石式で接合してもよい。
本体は中空密閉構造となり内部に空気層を内包するものとする。
また、内部に断熱性材料、例えば、空気層を内包した断熱シート、あるいは
発泡ポリエチレン、発泡ポリウレタンフォーム等の合成樹脂発泡体、スポンジ等を用いる。
図２３においてモーター８はトルク重視に設定され、また作動中、シャッター２もしくはモーター８が指等の進入により固定されてもモーター８自体がモーター移動用レール11をかいして、前後に移動できるものとし、ギア１０にかかる力はモーター８自体を移動する力に変換される。指等をはさみこんだ場合、モーター８の力が加わっても、モーター８が移動するのでそれ以上力が加わることがない。最終的にシャッター２に伝わる力は危険防止のため、指で簡単に開けられるほどの物とする。  
タイマー３は蒸気熱等の影響を受けないようにゴムパッキンによりシールドされる。
またタイマーに関しては電子式以外にも機械式タイマー等を利用してもよい。
各ボタンは全体を一枚のビニール樹脂等でコーティングされたものとする。
なおシャッター２は屈曲性の高い樹脂材、もしくはラバー材料による一体成形の構造でも良い。その場合独立形状に比べて構造が単純になるためコストダウンにつながり、汚れ、ゴミ、カビ等の付着が少なく、また本体よりはずしての清掃性に優れる。
なお蓋本体1とシャッター２との固定部は着脱可能な構造、例えば、はめ込み式、ねじ込み式で接合してもよい。
図７において上カバー３９、シャッター２、下カバー４０からなる風呂蓋本体１は重量分散のため二分割中折れ可能な構造であり、図２２において内部の二枚のシャッター２は互いの接合部分に装備された細長い連結用磁石３７にて接合し、分離、折り曲げ可能とし、蓋の端部分に円柱状のホワイトゴムローラー１２を設け、取っ手部分１３をてことし、バネ３８が縮むことによる補助での跳ね上げにより蓋の開け閉めのサポートをし、はめ込み式、磁石等で接合する。図８のように蓋の端のローラーの装備されている方には転倒防止用のストッパー５が設けられている。図８に示した転倒防止用のストッパー５は必要であればもう一方の蓋にも付けても良い。
広げると自重で閉じるので、暖気が逃げるのを防いで保温性を高める。浴槽に接する部分にはゴム製などの滑り止めが設けてある。また本発明は別にヒーター等を使用して温度を高めるわけではないので、外気とのバランスよい自然な浴室温度上昇を再現することができる。本発明は以上に述べた暖まった空気を効果的に利用し人が事前に蓋を開けることなく、脱衣所、浴室、そして浴槽内の温度差を出来るだけなだらかな曲線とすることにより、比較的低コストに一番風呂等による心筋梗塞、脳卒中等の入浴事故（ヒートショック）を未然に防ぐのが目的である。
蓋本体は通常長方形であるが、形状は安全かつ蓋の役目をはたしていれば自由である。２つ（又はそれ以上）の連結部が直線上にあれば可能である。特にシャッター部分は手等体の一部が入らない形状であれば楕円、長方形、真円等を使用した場合、おもしろいデザインとなる。
【００１２】
子供等の転落事故防止のため蓋を閉めたまま、シャッター、もしくは手動開閉可能な給水口４よりの給水が可能である。本発明では常日頃からある風呂蓋という形をとっているため、既存の浴室暖房装置のように新たに巨大な筺体を浴室内に持ち込む必要がない。
赤外線受送光部は今後他の浴室装置との連動を想定した物である。
上記構成の動作を説明する。  
風呂蓋本体１に電子タイマー３と動力開閉可能なシャッター２を設け、シャッターがシャッター移動用レール６および下部カバーシャッター移動用レール１４をかいしタイマーで指定した時間に１５分〜２０分ほどシャッターを開け、その浴槽内の温まった空気を開放することにより人が事前に蓋を開けることなく、数度浴室内を暖めることができる。      
【００１３】
また、時間がくると自動的に閉まるので蓋本来の保温、湿度漏れ防止の効果も持続させることができる。
蓋全体を開閉することはなく、格子状となるので幼児による水の事故も防止することができる。さらに入浴がおっくうなひとでも「８時に浴室が温っているから入りに行こう」という計画入浴が出来るようになる効果も得られるようになる。また、高価な浴室暖房装置へのステップアップとしての営業効果も期待できる。
図２において２は蒸気流７を排出するためのシャッター、３はタイマー及び赤外線受光部である。シャッターが図１１のシャッター移動用レール６および図１３の下部カバー部シャッター移動用レール１４をかいし、スライドする事により開閉する。シャッターと本体（ポリプロピレン製等）の接触稼動部分はゴムパッキンによりシールドされる。
本体は中空構造となり内部に空気層を内包し、また、内部に断熱性材料、例えば、空気層を内包した断熱シート、発泡ポリエチレン、発泡ポリウレタンフォーム等の合成樹脂発泡体、スポンジ等を用いる。
なお各シャッターは屈曲性の高い樹脂材、もしくはラバー材料による一体成形も可能な構造である。
開閉部は図９のプラスチック製樹脂材のメッシュカバー９で覆われ、その奥にシャッターを配置する。メッシュカバーなしでは作動しないように、普段はメッシュカバーにより押さえつけられておりメッシュカバーを外すと作動しなくなる、押し込み式スイッチを配置する。本体とメッシュカバーとの固定部は着脱可能な構造とする。動力モーター８はトルク重視に設定され、またモーター自体が図１１のモーター移動用レール１１をかいして前後に移動できるものとし、最終的にシャッターに伝わる動力は指はさみ等の危険防止のため、指で簡単に開けられる物とする。  内蔵するシャッターの折り曲げ部分は、分割せずとも折り曲げ可能な材質、たとえば図２４Ａの様に塩化ビニール又はＰＥＴ樹脂等の折り曲げ可能な板を加工して作成、もしくは図２４Ｂおよび図２５の様にシャッター接合用ジャバラ４１にて接合すれば、折り曲げ可能な上、簡易製造、さらに軽量の為、開け閉めの際の労力が軽減できる。また折り曲げ部分全体を図２６の外皮ジャバラ４２にて被い、接合する。外皮ジャバラは少なくとも指を挟まない程度の大きさがあり柔らかい材質、たとえばゴム、樹脂等で構成され、たわみ、歪みを修正することができる復元力を持ち、内部の構造物に干渉しない程度の内容積を持ち、水に対する防水性を持たせるため、外皮ジャバラ、本体双方に溝を掘り、かませ、その上でリベット、および接着剤等で補強する。折り曲げ部分をジャバラにすることにより、折りたたんだ際ジャバラが図２７の様に多少伸び、隙間ができることにより、指はさみ等の危険を防止することができる。ジャバラが伸び縮んでも、正常にシャッターが動くように、互いの分割された本体とシャッターはシャッター接合用磁石３７および本体接合用磁石４３にて接合するものとする。すなわち図２５の構造体が図２６の構造に覆われる形となる。電子タイマー３は蒸気熱等の影響を受けないようにゴムパッキンによりシールドされる。
【実施例２】
【００１４】
また、効果の強化別案として下記の発明を考案した。
効果の強化別案の実施形態を、図１４〜図２１に基づいて説明する。
図１４においてはこの発明の一実施形態の風呂装置の外観を示す斜視図である。
図１５において風呂蓋本体1にタイマー３と動力排水可能なポンプ３１及びシャッター２を設け、使用に当たっては、まず脱衣所より浴室の扉等をノックすること等で音を発し、その反響音で本風呂蓋のセンサーを反応させ、指定した時間、その浴槽内の温まった温水を浴室に開放することにより人が事前に蓋を開け、温水をまく必要なく、数度程度  浴室内を暖めることができる。
【００１５】
またタイマーで指定した時間に全自動排水する構造でもよい。
また、時間がくると自動的に排水が止まるので蓋本来の保温、湿度漏れ防止の効果も持続させることができる。蓋全体を開閉することなく、温水を放出するので
幼児による水の事故も防止することができる。また本発明では、風呂蓋を閉めたままで風呂の残り湯の洗濯機への給水も可能である。
図１５において３５は温水を排出する排水口で、シャッターがスライドする事により開閉する。シャッターと本体（ポリプロピレン製等）の接触稼動部分はゴムパッキンによりシールドされる。
指はさみ等の危険防止のため開閉部は金属（ステンレス等）またはプラスチック製等の格子またはメッシュで覆われ、その奥にシャッターを配置する。メッシュカバーなしでは作動しないように、普段はメッシュカバーにより押さえつけられておりメッシュカバーを外すと作動しなくなる、押し込み式スイッチを配置するものとする。本体とメッシュカバーとの固定部は着脱可能な構造、例えば、はめ込み式、ねじ込み式、磁石式で接合してもよい。
また温水出口に絶対に指等が入らない大きさ、構造であればシャッターはオミットしてもよい。
【００１６】
本体は中空密閉構造となり内部に空気層を内包するものとする。
また、内部に断熱性材料、例えば、空気層を内包した断熱シート、あるいは
発泡ポリエチレン、発泡ポリウレタンフォーム等の合成樹脂発泡体、スポンジ等を用いる。
図１６において温水は吸入口先端の第一モーター１８についたスクリュー１７により浴槽よりフィルター１５、吸水口１６を介し、図１７第一槽２４まで吸い上げられ、弁２６を押し上げ、第一槽内スクリュー２７にて加速、水路を介し、第二槽２８のスクリュー２０によりさらに加速され、制御弁２９が開き、図１９通路パイプ３２を通りパイプ口３０より排水用パイプ３３内に温水を送り込み、より流量や圧力が大きくとれるのが特徴であり、内部で扇状に拡散され、拡散溝の付いた排水用パイプ３３により、より広範囲に排出される。排水用パイプは通常、樹脂等で作られているが、保温効果をもたらす金属、たとえばステンレス、銅等で製作してもよい。
【００１７】
各動力モーターはトルク重視に設定され、とくに第一モーターは温水につかるため、丸みのある防水用のカバーとゴムパッキンにより覆われている。
【００１８】
通路パイプの出口は手前より奥、図１９においては右から左にかけて段々大きく開口するものとし、できるだけ温水の流出量を均一に保つ。
【００１９】
また本発明では、図２０において、パイプ口３０を閉じる事により、図１５の第２排水口３４より壁面等への温水散布が可能な構造である。第２排水口より風呂蓋を閉めたままで風呂の残り湯の洗濯機への給水も可能である。  
【００２０】
図１８において温水給水パイプ２５は蓋をすると自重で給水位置に移動し、折りたたみ時は蓋本体にそって折りたたまれる。
また本発明は別にヒーター等を使用して温度を高めるわけではないので、外気とのバランスよい自然な浴室温度上昇を再現することができる。
【００２１】
蓋本体は通常長方形であるが、形状は安全かつ蓋の役目をはたしていれば自由である。特にシャッター部分は子供の手が入らない形状であれば楕円、長方形、真円等を使用した場合、おもしろいデザインとなる。
【００２２】
また作動中は一定の警告音、または音楽等を発し、脱衣所にいる人へ温水が出ているという事を警告できるスピーカー、ブザー等を装備してもよい。
【００２３】
上記案ではコストがかかるというのであれば温水排水口は一本のジャバラパイプをポンプ基部につなぎ、その先端を浴室の地形（浴室排出口、ドア、床面の傾き加減等）にあわせセットする構造でもよい。
内部の温水の通るルートは保温のため腐食しない金属（たとえば銅、ステンレス等）で構成してもよい。電源はパワーのあるリチウムイオン電池等を使用するがコストにあわなければ通常電池を使うことも可能である。
【００２４】
バッテリーは水面に近い裏面より表面近くに配置することが望ましい。
「実施形態の効果」
人が事前に蓋を開けることなく浴室内を暖めることができる。また、時間がくると自動的に閉まるので蓋本来の保温、湿度漏れ防止の効果も持続させることができる。
また蓋全体の自重と、蓋全体を開閉することはなく格子状となるので、幼児ら転落による水の事故も防止することができる。また本発明は別にヒーター等を使用して温度を高めるわけではないので、外気とのバランスよい自然な浴室温度上昇を再現することができる。さらに入浴がおっくうなひとでも「８時に浴室が温っているから入りに行こう」という計画入浴が出来るようになる効果も得られるようになる。また、高価な浴室暖房装置へのステップアップとしての営業効果も期待できる。さらに子供の転落事故防止のため蓋を閉めたまま、シャッター、もしくは手動開閉可能な給水口4よりの給水が可能である。
【産業上の利用可能性】
【００２５】
上記したように従来の風呂蓋では実現できなかった、人が事前に蓋を開ける必要なく、温まった二番風呂浴室を再現し比較的低コストに一番風呂戸等による心筋梗塞、脳卒中等の入浴事故（ヒートショック）を未然に防ぐことができる。また本発明は別にヒーター等を使用して温度を高めるわけではないので、外気とのバランスよい自然な浴室温度上昇を再現することができる。子供の転落事故防止のため蓋を閉めたまま、シャッター、もしくは手動開閉可能な給水口４よりの給水が可能である。
【図面の簡単な説明】
【００２６】
【図１】この発明の一実施形態を示す斜視図である。
【図２】本発明の風呂蓋を上面から見た外観図。
【図３】同風呂蓋の閉口時実施形態を示した図。
【図４】同風呂蓋の開口時実施形態を示した図。
【図５】同風呂蓋使用前の温度の移り変わりを示したグラフ。
【図６】同風呂蓋使用後の温度の移り変わりを示したグラフ。
【図７】同風呂蓋を側面から見た外観図。
【図８】同風呂蓋を側面から見た外観図（折りたたみ時）。
【図９】同風呂蓋の断面部分図（閉口時）。
【図１０】同風呂蓋の断面部分図（開口時）。
【図１１】同風呂蓋のシャッターユニットの図。
【図１２】同風呂蓋の下部底面カバーを示した図。
【図１３】同風呂蓋の構成を示した図。
【図１４】本発明の実施例２を示す斜視図である。
【図１５】同案風呂蓋を上面から見た外観図。
【図１６】同風呂蓋のポンプ先端部の断面部分図。
【図１７】同風呂蓋のポンプの断面部分図。
【図１８】同風呂蓋を側面から見た外観図。
【図１９】同風呂蓋の断面部分図（開口時）。
【図２０】同風呂蓋の断面部分図（閉口時）。
【図２１】同風呂蓋の別実施形態を示す斜視図である。
【図２２】本発明の風呂蓋のバネと接合用磁石の部分図。
【図２３】同風呂蓋のモーターとモーター移動用レールの部分図。
【図２４】同風呂蓋の折り曲げ部分の部分図。
【図２５】同風呂蓋の折り曲げ部分のシャッターのジャバラ構造の拡大部分図。
【図２６】同風呂蓋の折り曲げ部分の本体のジャバラ構造の拡大部分図。
【図２７】同風呂蓋のジャバラ構造を側面から見た外観図。
【符号の説明】
【００２７】
１  風呂蓋本体
２  シャッター
３  電子タイマー及び赤外線受送光部
４  給水口
５  ストッパー
６  シャッター移動用レール
７  蒸気流の流れ
８  モーター
９  メッシュカバー
１０  ギア
１１  モーター移動用レール
１２  ホワイトゴムローラー
１３  取っ手
１４  下部カバー部シャッター移動用レール
１５  フィルター
１６  吸水口
１７  第一スクリュー
１８  第一モーター
１９  コード
２０  第三スクリュー
２１  ギア
２２  第二モーター
２３  バッテリー
２４  第一槽
２５  温水給水パイプ
２６  第一弁
２７  第二スクリュー
２８  第二槽
２９  制御弁
３０  パイプ口
３１  ポンプ
３２  通路パイプ
３３  排水パイプ
３４  第２排水口
３５  排水口
３７  シャッター接合用磁石
３８  バネ
３９  上カバー
４０  下カバー
４１  シャッター接合用ジャバラ
４２  外皮ジャバラ
４３  本体接合用磁石
【図１０】
0005505585.tif 000002
【図１７】
0005505585.tif 000003
【図１８】
0005505585.tif 000004
【図１９】
0005505585.tif 000005
【図２０】
0005505585.tif 000006
【図１】
0005505585.tif 000007
【図２】
0005505585.tif 000008
【図３】
0005505585.tif 000009
【図４】
0005505585.tif 000010
【図５】
0005505585.tif 000011
【図６】
0005505585.tif 000012
【図７】
0005505585.tif 000013
【図８】
0005505585.tif 000014
【図９】
0005505585.tif 000015
【図１１】
0005505585.tif 000016
【図１２】
0005505585.tif 000017
【図１３】
0005505585.tif 000018
【図１４】
0005505585.tif 000019
【図１５】
0005505585.tif 000020
【図１６】
0005505585.tif 000021
【図２１】
0005505585.tif 000022
【図２２】
0005505585.tif 000023
【図２３】
0005505585.tif 000024
【図２４】
0005505585.tif 000025
【図２５】
0005505585.tif 000026
【図２６】
0005505585.tif 000027
【図２７】
0005505585.tif 000028